(57)【要約】【課題】本発明は、従来の把手取り付け構造を改良することにより、高度の熟練を要することなく把手をドア等の開閉体に容易に取り付けることが可能で、しかも、長期にわたって把手がガタ付くのを防止する。【解決手段】一方の把手２の把手取り付け部２２と、引付ピース５１とが、開閉体４を挟んで引付ねじ５１で共締めされてドア４に固定され、他方の把手３の把手取り付け部３３に設けられた中空部３２ａが、前記引付ピースに螺合された内側芯金５２の外周に嵌合され、前記中空部に設けられた貫通孔に挿通された固定ねじ５６が、前記内側芯金に締結固定されている。前記内側芯金は引付ピースに対して所定角度だけ回転できるように、引付ピースの軸方向の長さは、前記内側芯金の長さよりも大きく設定されている。【選択図】  図１
2008261104.tif 000002
【特許請求の範囲】
【請求項１】
ドア等の開閉体の両側に一対の把手の把手取り付け部を配置し、一方の把手の把手取り付け部と、固定部材とが、開閉体を挟んで引付ねじで共締めされてドアに固定され、他方の把手の把手取り付け部に設けられた中空部が、前記固定部材の外周に嵌合され、前記中空部の周壁には貫通孔が設けられ、該貫通孔に挿通された固定ねじが、前記固定部材に締結固定されている把手取り付け構造において、
前記固定部材は、前記引付ねじが挿通され且つ引付ねじによりドア側に押圧される引付ピースと、該引付ピースの外周に螺合される内側芯金とからなり、内側芯金には、前記固定ねじが螺合される雌ねじが設けられ、前記引付ねじの締結時に、前記内側芯金は引付ピースに対して所定角度だけ回転できるように、引付ピースの軸方向の長さは、前記内側芯金の長さよりも大きく設定されていることを特徴とする把手取り付け構造。
【請求項２】
前記引付ピースは、筒状体からなるとともに、引付ねじに螺合されている請求項１に記載の把手取り付け構造。
【請求項３】
前記引付ピースは、筒状体からなるとともに、引付ねじに差し込まれ、前記引付ピースと引付ねじとは接着剤で固定されている請求項１に記載の把手取り付け構造。
【請求項４】
前記引付ピースは、筒状体からなるとともに、引付ねじに差し込まれ、前記引付ピースと引付ねじとは溶接により固定されている請求項１に記載の把手取り付け構造。
【発明の詳細な説明】
【技術分野】
【０００１】
本発明は、建物に用いるドア等の開閉体の把手取り付け構造に関する。
【背景技術】
【０００２】
従来より、建物などのドアの内外両側には、ドアを開閉するための室内外用把手がそれぞれ設けられ、これら室内外用把手の把手取り付け部が同一軸線上に配置されている（例えば、特許文献１参照）。
【０００３】
ドア１００の内外両面に把手を取り付ける場合には、図１３（ａ）に示すように、室外用把手１０２の把手取り付け部１０４と、内側芯金１０６とはドア１００を挟んでボルト１０７で共締めされてドア１００に固定されている。
【０００４】
図１３（ｂ）に示すように、室内用把手１０３の把手取り付け部１０５には、その先端部に中空部１１１が設けられており、この中空部１１１が前記内側芯金１０６の外周に嵌合される。中空部１１１の周壁には、一対の貫通孔１１２が水平方向に形成されている。そして、各貫通孔１１２を貫通した固定ねじ１１３を、内側芯金１０６の周壁に形成された雌ねじ１１４に締結することにより、室内用把手１０３は内側芯金１０６を介してドア１００に固定されている。
【特許文献１】特開２００４−１９７４１６号公報
【発明の開示】
【発明が解決しようとする課題】
【０００５】
しかしながら、上記従来の把手取り付け構造において、室内用把手１０３を内側芯金１０６に固定する際には、室内用把手１０３の中空部１１の貫通孔１１２と、内側芯金１０６の雌ねじ１１４とが互いに正確に一致していなければならない。具体的には、内側芯金１０６の雌ねじ１１４が、中空部１１１の貫通孔１１２に対応するように水平方向を向いていないと、室内用把手１０３を内側芯金１０６に外嵌した際に、室内用把手１０３の貫通孔１１２と、内側芯金１０６の雌ねじ１１４とが合致せず、固定ねじ１１３を締結することができない。
【０００６】
また、ボルト１０７を締結するときに、内側芯金１０６も一緒に回転してしまうため、内側芯金１０６の雌ねじ１１４が水平方向を向くように、一旦締結したボルト１０７を少し緩めた後に、内側芯金１０６を所定の回転角度に戻していた。この結果、室内外用把手１０２、１０３を長期間使用していると、把手１０２、１０３がガタ付くといった問題があった。
【０００７】
本発明は、従来の把手取り付け構造を改良することにより、高度の熟練を要することなく把手をドア等の開閉体に容易に取り付けることが可能で、しかも、長期にわたって把手がガタ付くのを防止することを第１の課題とする。
【０００８】
また、本発明は、引付ねじが専用のものでなく市販品であっても使用することができるようにすることを第２の課題とする。
【課題を解決するための手段】
【０００９】
本発明は、前記課題を解決するためになされたもので、ドア等の開閉体の両側に一対の把手の把手取り付け部を配置し、一方の把手の把手取り付け部と、固定部材とが、開閉体を挟んで引付ねじで共締めされてドアに固定され、他方の把手の把手取り付け部に設けられた中空部が、前記固定部材の外周に嵌合され、前記中空部の周壁には貫通孔が設けられ、該貫通孔に挿通された固定ねじが、前記固定部材に締結固定されている把手取り付け構造において、前記固定部材は、前記引付ねじが挿通され且つ引付ねじによりドア側に押圧される引付ピースと、該引付ピースの外周に螺合される内側芯金とからなり、内側芯金には、前記固定ねじが螺合される雌ねじが設けられ、前記引付ねじの締結時に、前記内側芯金は引付ピースに対して所定角度だけ回転できるように、引付ピースの軸方向の長さは、前記内側芯金の長さよりも大きく設定されていることにある。
【００１０】
本発明の前記引付ピースは、筒状体からなるとともに、引付ねじに螺合されている。
【００１１】
本発明の前記引付ピースは、筒状体からなるとともに、引付ねじに差し込まれ、前記引付ピースと引付ねじとは接着剤で固定されている。
【００１２】
本発明の前記引付ピースは、筒状体からなるとともに、引付ねじに差し込まれ、前記引付ピースと引付ねじとは溶接により固定されている。
【発明の効果】
【００１３】
本発明は、高度の熟練を要することなく把手を容易に取り付けることが可能で、しかも、長期にわたって把手がガタ付くのを防止することことができる。
【００１４】
また、本発明は、固定部材を引付ピースと内側芯金との別部材から構成しているので、所定種類の引付ピースを準備しておくことにより、引付ねじが専用のものでなく市販品であっても使用することができる。
【発明を実施するための最良の形態】
【００１５】
以下、本発明の一実施の形態について図面を参照しながら説明する。
【００１６】
図１〜図１０は本発明の一実施の形態にかかるドア用把手１を示す。かかる把手１は、図３に示すように、開閉体としてのドア４の内外面にそれぞれ取り付けられる一方の把手としての室外用把手２と、他方の把手としての室内用把手３とから構成されている。
【００１７】
室外用把手２および室内用把手３は、金属、ガラス、木材等からなる棒状体の握り部２１、３１と、この握り部２１、３１の両端部に一体的に設けられた一対の把手取り付け部２２、３２とから構成されている。なお、本実施の形態は、室外用把手２および室内用把手３を上下方向に取り付ける場合について説明するが、その取り付け方向は特に限定されるものではない。
【００１８】
ドア４は、建物等に使用される木製ドア、ガラス製ドア、アルミ枠ドア等である。
【００１９】
前記室外用把手２および室内用把手３は、図１および図２に示す引付手段５により、ドア４の内外面にそれぞれ取り付けられている。図１において、ドア４の左側が室内で、ドア４の右側が室外を示す。引付手段５は、引付ねじとしての頭部付き引付ねじ５０と、引付ピース５１と、内側芯金５２と、皿ばね５３と、ワッシャ５４とから構成されている。なお、引付ピース５１および内側芯金５２により固定部材が構成されている。
【００２０】
内側芯金５２は、図２および図１０に示すように、その中心に雌ねじ５２ａが軸方向に貫通して設けられている。また、内側芯金５２の周壁には、雌ねじ５２ａに貫通するように中心に向けて複数個（例えば２個）の雌ねじ５２ｂが形成されている。そして、内側芯金５２外周に、室内用把手３の把手取り付け部３２に設けられた中空部３２ａが嵌合される。この中空部３２ａの周壁には、雌ねじ５２ｂに対応する一対の貫通孔３３が半径方向で且つ水平に設けられている。なお、貫通孔３３の設ける位置および個数は、前記雌ねじ５２ｂに対応して適宜決定される。
【００２１】
頭部付き引付ねじ５０は、頭部５０ａと前記ドア４に貫通された取付孔４ａに挿通されるねじ部５０ｂとを備えている。なお、頭部付き引付ねじ５０は、市販の適宜長さを有する規格品のものが使用される。ねじ部５０ｂの先端部は、前記室外用把手２の把手取り付け部２２の端面に形成された雌ねじ２５に螺合される。また、ねじ部５０ｂの基部（頭部５０ａの近傍）には、頭部５０ａよりも小径で且つねじ部５０ｂよりも大径の引付ピース５１が設けられている。
【００２２】
この引付ピース５１は筒状を呈しており、中心に前記ねじ部５０ｂに螺合する雌ねじ５７が形成されるとともに、外周に内側芯金５２の雌ねじ５２ａが螺合するねじ５８が形成されている。引付ピース５１の軸方向の長さ（頭部５０ａの端面から引付ピース５１の端面５１ａまでの長さ）Ｌ１は、内側芯金５２の長さＬ２よりも若干大きく（Ｌ１＞Ｌ２）なるように設定されている（図２および図７参照）。
【００２３】
例えば、引付ピース５１の長さＬ１と内側芯金５２の長さＬ２の差Ｌ３が略０．５ｍｍに設定するのが好ましい。しかも、この略０．５ｍｍのスペースで内側芯金５２が引付ピース５１に対して約１８０度回転できるように、それぞれのねじピッチが設定されている。
【００２４】
また、頭部付き引付ねじ５０の締結時に、引付ピース５１の端面５１ａが、ねじ部５０ｂに挿通された皿ばね５３およびワッシャ５４をドア４に押圧するようになっている。
【００２５】
次に、上記構造における一対の把手２２、２３をドア２１の両面に取り付ける場合について説明する。
【００２６】
先ず、頭部付き引付ねじ５０のねじ部５０ｂに、長エア引付ピース５１を頭部５０ａに当接するまで予めねじ込んでおく（図８（ａ）参照）。このように、頭部付き引付ねじ５０と引付ピース５１とをそれぞれ別部材から構成することにより、引付ピース５１は所定長さのものを準備しておいて、頭部付き引付ねじ５０は、ドア４の厚さ等に応じて任意の規格品を使用することができ、部品のコストおよび在庫の削減を図ることができる。
【００２７】
さらに、頭部付き引付ねじ５０のねじ部５０ｂにねじ込まれた引付ピース５１に、内側芯金５２を螺合するとともに、ねじ部５０ｂに、皿ばね５３およびワッシャ５４を順次挿通する（図８（ｂ）参照）。
【００２８】
次に、内側芯金５２、皿ばね５３およびワッシャ５４が一体となった頭部付き引付ねじ５０のねじ部５０ｂを、ドア４の挿通孔４ａに挿通し、ねじ部５０ｂの先端部を室外用把手２の把手取り付け部２２の雌ねじ部２５に螺合する（図４参照）。このとき、頭部付き引付ねじ５０を締結すると、引付ピース５１の端面５１ａが皿ばね５３の押圧力を受けることとなり、室外用把手２をドア４にガタ付くことなく取り付けることができる。
【００２９】
このように、頭部付き引付ねじ５０を締結した状態であっても、引付ピース５１の軸方向の長さＬ１は、内側芯金５２の長さＬ２よりも若干大きくなるように設定されていることから、引付ピース５１に螺合された内側芯金５２は、頭部付き引付ねじ５０の頭部５０ａと皿ばね５３との間で押圧されることはなく、所定の角度だけ回転可能になっている。この結果、内側芯金５２を所定角度回転させることにより、内側芯金５２の雌ねじ５２ｂ位置が水平となるように調整する。
【００３０】
さらに、室内用把手３の把手取り付け部３２の中空部３２ａを、内側芯金５２に外嵌する。室内用把手３の把手取り付け部３２の貫通孔３３と、前記のように内側芯金５２の雌ねじと５２ｂとが一致しているため、固定ねじ５６を、室内用把手３の把手取り付け部３２の貫通孔３３に挿通し、内側芯金５２の雌ねじ５２ｂに締結して室内用把手３をドア４に迅速に取り付けることができる。
【００３１】
また、内側芯金５２は、頭部付き引付ねじ５０によりドア４側に押圧され回転が規制されている引付ピース５１に螺合しているため、内側芯金５２は回転しない限り、頭部付き引付ねじ５０の軸方向に移動することはなく、室内外用把手２、３を長期間使用しても把手２、３が緩んでガタ付くのを防止できる。また、本実施の形態の把手２２、２３は、高度の熟練を要することなく容易に把手を取り付けることが可能で、修理、取替え等のメンテナンス等においても有利である。
【００３２】
本発明は、前記の実施の形態に限定されるものではない。例えば、図１１（ａ）および（ｂ）に示すように、引付ピース５１は、中心に雌ねじ（内側ねじ部）をも設けることなく、通常の孔５９を加工をしたものであってもよい。この引付ピース５１の孔５９にねじ部５０ｂを差し込んで、引付ピース５１と頭部付き引付ねじ５０とを接着剤６０で接着して固定する。
【００３３】
また、図１２（ａ）および（ｂ）に示すように、引付ピース５１の孔５９にねじ部５０ｂを差し込んで、引付ピース５１と頭部付き引付ねじ５０とを溶接６１で固定する。かかる場合には、溶接６１が引付ピース５１とワッシャ５４との接触の支障とならないように、引付ピース５１側に溶接用面取りを加工するのが好ましい。
【００３４】
引付ピース５１は、長さや直径等が相違する複数種類のものを予め製造しておいて、各種類の引付ピース５１に対して、任意の長さの頭部付き引付ねじ５０を使用することも可能である。
【図面の簡単な説明】
【００３５】
【図１】本発明の一実施形態を示すドアの両面に把手を取り付けた状態の一部断面を含む平面図である。
【図２】図１の要部を示す断面平面図である。
【図３】本発明の一実施形態を示すドアの両面に把手を取り付けた状態を示す正面図である。
【図４】同ドアに室外用把手を取り付けた状態の一部断面を含む平面図である。
【図５】同室内用把手を引付手段に取り付ける直前の斜視図である。
【図６】同室内用把手を引付手段に取り付けた状態の斜視図である。
【図７】同引付手段の一部断面を含む分解図である。
【図８】（ａ）は頭部付き引付ねじに引付ピースを取り付けた状態を示す正面図、（ｂ）は頭部付き引付ねじに引付ピース、皿ばねおよびワッシャを取り付けた状態を示す断面正面図である。
【図９】本発明の一実施形態の引付ピースを示し、（ａ）は側面図、（ｂ）は断面正面図である。
【図１０】内側芯金を示し、（ａ）は側面図、（ｂ）は正面図である。
【図１１】本発明の他の実施形態を示し、（ａ）は頭部付き引付ねじに引付ピースを取り付けた状態を示す正面図、（ｂ）は同断面正面図である。
【図１２】本発明の更に他の実施形態を示し、（ａ）は頭部付き引付ねじに引付ピースを取り付けた状態を示す正面図、（ｂ）は同断面正面図である。
【図１３】従来例を示し、（ａ）はドアに室外用把手を取り付けた状態の一部断面を含む平面図、（ｂ）はドアの両面に把手を取り付けた状態の一部断面を含む平面図である。
【符号の説明】
【００３６】
１  把手
２  一方の把手
３  他方の把手
４  ドア（開閉体）
２２  把手取り付け部
２３  把手取り付け部
５０  頭部付き引付ねじ（引付ねじ）
５１  引付ピース
５２  内側芯金
３２ａ  中空部
３３  貫通孔
５２ａ雌ねじ
５２ｂ雌ねじ
５３  皿ばね
５４  ワッシャ
５６  固定ねじ
５８  ねじ
６０  接着剤
６１  溶接
【図１】
2008261104.tif 000003
【図２】
2008261104.tif 000004
【図３】
2008261104.tif 000005
【図４】
2008261104.tif 000006
【図５】
2008261104.tif 000007
【図６】
2008261104.tif 000008
【図７】
2008261104.tif 000009
【図８】
2008261104.tif 000010
【図９】
2008261104.tif 000011
【図１０】
2008261104.tif 000012
【図１１】
2008261104.tif 000013
【図１２】
2008261104.tif 000014
【図１３】
2008261104.tif 000015